(57)【要約】【課題】放送装置間のタイミング同期を効率よく実現する技術を提供する。【解決手段】第１生成部２４２、第２生成部２１２は、取得したフレームパルス間に配置すべき複数のパケットを生成する。第２生成部２１２は、複数のパケットのうちの一部のパケットであるＴＯＴパケットに、当該ＴＯＴパケットと基準タイミングパルスとの時間差の情報を含める。送信部２４０は、生成した複数のパケットを他の放送装置に送信する。変形部２３２は、生成した複数のパケットのうちの一部のパケットを変形させる。変形部２３２は、一部のパケットであるＴＯＴパケットから時間差の情報を除去するとともに、時間差の情報の代わりに誤り検出用データをＴＯＴパケットに挿入する。放送部２３４は、一部のパケットを変形した複数のパケットを放送する。【選択図】図３
2014195210.tif 000002
【特許請求の範囲】
【請求項１】
所定の周期を有した基準タイミングパルスと、基準タイミングパルスの周期とは異なった周期を有したフレームパルスとを取得する取得部と、
前記取得部が取得したフレームパルス間に配置すべき複数のＴＳパケットを生成する生成部と、
前記生成部が生成した複数のＴＳパケットを他の放送装置に送信する送信部と、
前記生成部が生成した複数のＴＳパケットのうちのＴＯＴパケットを変形させる変形部と、
前記変形部が変形したＴＯＴパケットを含む複数のＴＳパケットをＯＦＤＭ信号として放送する放送部とを備え、
前記生成部は、ＴＯＴパケットの所定領域に、当該ＴＯＴパケットと基準タイミングパルスとの時間差の情報を含め、
前記変形部は、ＴＯＴパケットの所定領域から時間差の情報を除去するとともに、時間差の情報の代わりに誤り検出用データをＴＯＴパケットの所定領域に挿入し、
前記送信部が送信した複数のＴＳパケットを受信した他の放送装置に、ＴＯＴパケットの所定領域から時間差の情報を除去させるとともに、時間差の情報の代わりに誤り検出用データをＴＯＴパケットの所定領域に挿入させることを特徴とする放送装置。
【請求項２】
前記生成部は、ＴＯＴパケットとフレームパルスとの間のパケット数と、当該フレームパルスと基準タイミングパルスとの間のクロック数との組合せを時間差の情報としてＴＯＴパケットの所定領域に含めることを特徴とする請求項１に記載の放送装置。
【請求項３】
所定の周期を有した基準タイミングパルスと、基準タイミングパルスの周期とは異なった周期を有したフレームパルスとが規定されており、フレームパルス間に配置された複数のＴＳパケットをＯＦＤＭ信号として他の放送装置から受信する受信部と、
前記受信部が受信した複数のＴＳパケットのうちのＴＯＴパケットを変形させる変形部と、
前記変形部がＴＯＴパケットを変形した複数のＴＳパケットをＯＦＤＭ信号として放送する放送部とを備え、
前記受信部が受信した複数のＴＳパケットのうちのＴＯＴパケットの所定領域には、当該ＴＯＴパケットと基準タイミングパルスとの時間差の情報が含まれ、
前記変形部は、ＴＯＴパケットの所定領域から時間差の情報を除去するとともに、時間差の情報の代わりに誤り検出用データをＴＯＴパケットの所定領域に挿入し、
前記放送部は、時間差の情報に応じて、複数のＴＳパケットをＯＦＤＭ信号として放送することを特徴とする放送装置。
【請求項４】
前記受信部が受信したＴＯＴパケットの所定領域に含まれた時間差の情報は、ＴＯＴパケットとフレームパルスとの間のパケット数と、当該フレームパルスと基準タイミングパルスとの間のクロック数との組合せによって示されることを特徴とする請求項３に記載の放送装置。
【請求項５】
所定の周期を有した基準タイミングパルスと、基準タイミングパルスの周期とは異なった周期を有したフレームパルスとを取得するステップと、
取得したフレームパルス間に配置すべき複数のＴＳパケットを生成するステップと、
生成した複数のＴＳパケットを他の放送装置に送信するステップと、
生成した複数のＴＳパケットのうちのＴＯＴパケットを変形させるステップと、
ＴＯＴパケットを変形した複数のＴＳパケットをＯＦＤＭ信号として放送するステップとを備え、
前記生成するステップは、複数のＴＳパケットのうちのＴＯＴパケットの所定領域に、当該ＴＯＴパケットと基準タイミングパルスとの時間差の情報を含め、
前記変形させるステップは、ＴＯＴパケットの所定領域から時間差の情報を除去するとともに、時間差の情報の代わりに誤り検出用データをＴＯＴパケットの所定領域に挿入し、
前記送信するステップが送信した複数のＴＳパケットを受信した他の放送装置に、ＴＯＴパケットの所定領域から時間差の情報を除去させるとともに、時間差の情報の代わりに誤り検出用データをＴＯＴパケットの所定領域に挿入させることを特徴とする伝送方法。
【請求項６】
所定の周期を有した基準タイミングパルスと、基準タイミングパルスの周期とは異なった周期を有したフレームパルスとが規定されており、フレームパルス間に配置された複数のＴＳパケットをＯＦＤＭ信号として他の放送装置から受信するステップと、
受信した複数のＴＳパケットのうちのＴＯＴパケットを変形させるステップと、
ＴＯＴパケットを変形した複数のＴＳパケットをＯＦＤＭ信号として放送するステップとを備え、
前記受信するステップが受信した複数のＴＳパケットのうちのＴＯＴパケットの所定領域には、当該ＴＯＴパケットと基準タイミングパルスとの時間差の情報が含まれ、
前記変形させるステップは、ＴＯＴパケットの所定領域から時間差の情報を除去するとともに、時間差の情報の代わりに誤り検出用データをＴＯＴパケットの所定領域に挿入し、
前記放送するステップは、時間差の情報に応じて、複数のＴＳパケットをＯＦＤＭ信号として放送することを特徴とする伝送方法。
【請求項７】
所定の周期を有した基準タイミングパルスと、基準タイミングパルスの周期とは異なった周期を有したフレームパルスとを取得し、取得したフレームパルス間に配置すべき複数のＴＳパケットを生成してから、生成した複数のＴＳパケットを従放送装置に送信するとともに、生成した複数のＴＳパケットのうちのＴＯＴパケットを変形させてＯＦＤＭ信号として放送する主放送装置と、
主放送装置から受信した複数のＴＳパケットのうちのＴＯＴパケットを変形させてＯＦＤＭ信号として放送する従放送装置とを備え、
前記主放送装置は、（１）送信のため、複数のＴＳパケットのうちのＴＯＴパケットの所定領域に、当該ＴＯＴパケットと基準タイミングパルスとの時間差の情報を含め、（２）放送のため、ＴＯＴパケットの所定領域から時間差の情報を除去するとともに、時間差の情報の代わりに誤り検出用データをＴＯＴパケットの所定領域に挿入し、
前記従放送装置は、（１）ＴＯＴパケットの所定領域から時間差の情報を除去するとともに、時間差の情報の代わりに誤り検出用データをＴＯＴパケットの所定領域に挿入し、（２）時間差の情報に応じて、複数のＴＳパケットをＯＦＤＭ信号として放送することを特徴とする放送システム。
【発明の詳細な説明】
【技術分野】
【０００１】
本発明は、伝送技術に関し、特に所定の信号を送信する放送装置、伝送方法、放送システムに関する。
【背景技術】
【０００２】
地上デジタル放送方式では、ＭＰＥＧ（Ｍｏｖｉｎｇ  Ｐｉｃｔｒｕｒｅ  Ｃｏｄｉｎｇ  Ｅｘｐｅｒｔｓ  Ｇｒｏｕｐ）２−ＴＳ（Ｔｒａｎｓｐｏｒｔ  Ｓｔｒｅａｍ）が採用されているとともに、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）も採用されている。さらに、地上デジタル放送方式では、同一の周波数を利用するＳＦＮ（Ｓｉｎｇｌｅ  Ｆｒｅｑｕｅｎｃｙ  Ｎｅｔｗｏｒｋ）放送が採用されている。ＳＦＮ放送において伝送路毎に距離が異なり、複数の送信所にＭＰＥＧ２−ＴＳパケットを分配伝送する場合、各送信所の発した電波が受信点に到着する時刻の差が大きくなると、受信特性が悪化する。これに対応するために、基準時刻が示されたパケットも多重化され、これをもとに送信所間のタイミング同期が実行される（例えば、特許文献１）。
【先行技術文献】
【特許文献】
【０００３】
【特許文献１】特開２００３−３２２０７号公報
【発明の概要】
【発明が解決しようとする課題】
【０００４】
エリアワンセグメント放送（ワンセグメント型エリア放送とも呼ぶ）とは、地上デジタル放送のひとつであるワンセグメント放送を利用し、放送事業者によって使用される送信電力よりも小さい送信電力によって、狭いエリアに限定的にコンテンツデータを送信するサービスである。このようなエリアワンセグメント放送において複数の放送装置から信号を送信する場合、放送装置間のタイミング同期が必要とされる。エリアワンセグメント放送におけるＳＦＮ運用において、専用線を架設する設置工事は架設場所の確保や財政的に困難である。そのため、専用線を使用するデータやクロックをマスター放送装置から配信する完全同期方式や従属同期方式より、ＧＰＳ（Ｇｌｏｂａｌ  Ｐｏｓｉｔｉｏｎｉｎｇ  Ｓｙｓｔｅｍ）などの別システムの基準信号を使用するリファレンス同期の方が好ましい。リファレンス同期は、地上デジタル放送の規格の運用ガイドラインに規定されており、ＧＰＳの１ｐｐｓ信号に同期させるため無効階層のＴＳパケットに、基準時刻との時間差情報などが含められ、当該無効階層のＴＳパケットが配置されている。
【０００５】
エリアワンセグメント放送の放送装置には、民生機器に近いコストおよび低ランニングコストが求められている。そのため、ネットワークで配信するＭＰＥＧ２−ＴＳ（以下、単にＴＳと呼ぶ）も必要最小限の状態で伝送する必要がある。したがって、エリアワンセグメント放送は、一般的な地上デジタル放送であるフルセグメント放送や１２セグメント放送で用いられる階層伝送を意識したＴＳ再多重フォーマットではなく、放送装置から送信されるＴＳパケットのみを用いるので、無効階層のＴＳパケットが存在しない。無効階層のＴＳパケットが存在しないので、ＧＰＳに同期させるための情報を各放送装置で共有できず、タイミング同期が実現されない。
【０００６】
本発明はこうした状況に鑑みてなされたものであり、その目的は、放送装置間のタイミング同期を効率よく実現できる技術を提供することである。
【課題を解決するための手段】
【０００７】
上記課題を解決するために、本発明のある態様の放送装置は、所定の周期を有した基準タイミングパルスと、基準タイミングパルスの周期とは異なった周期を有したフレームパルスとを取得する取得部と、取得部が取得したフレームパルス間に配置すべき複数のＴＳパケットを生成する生成部と、生成部が生成した複数のＴＳパケットを他の放送装置に送信する送信部と、生成部が生成した複数のＴＳパケットのうちのＴＯＴパケットを変形させる変形部と、変形部が変形したＴＯＴパケットを含む複数のＴＳパケットをＯＦＤＭ信号として放送する放送部とを備える。生成部は、ＴＯＴパケットの所定領域に、当該ＴＯＴパケットと基準タイミングパルスとの時間差の情報を含め、変形部は、ＴＯＴパケットの所定領域から時間差の情報を除去するとともに、時間差の情報の代わりに誤り検出用データをＴＯＴパケットの所定領域に挿入し、送信部が送信した複数のＴＳパケットを受信した他の放送装置に、ＴＯＴパケットの所定領域から時間差の情報を除去させるとともに、時間差の情報の代わりに誤り検出用データをＴＯＴパケットの所定領域に挿入させる。
【０００８】
本発明の別の態様もまた、放送装置である。この装置は、所定の周期を有した基準タイミングパルスと、基準タイミングパルスの周期とは異なった周期を有したフレームパルスとが規定されており、フレームパルス間に配置された複数のＴＳパケットをＯＦＤＭ信号として他の放送装置から受信する受信部と、受信部が受信した複数のＴＳパケットのうちのＴＯＴパケットを変形させる変形部と、変形部がＴＯＴパケットを変形した複数のＴＳパケットをＯＦＤＭ信号として放送する放送部とを備える。受信部が受信した複数のＴＳパケットのうちのＴＯＴパケットの所定領域には、当該ＴＯＴパケットと基準タイミングパルスとの時間差の情報が含まれ、変形部は、ＴＯＴパケットの所定領域から時間差の情報を除去するとともに、時間差の情報の代わりに誤り検出用データをＴＯＴパケットの所定領域に挿入し、放送部は、時間差の情報に応じて、複数のＴＳパケットをＯＦＤＭ信号として放送する。
【０００９】
本発明のさらに別の態様は、伝送方法である。この方法は、所定の周期を有した基準タイミングパルスと、基準タイミングパルスの周期とは異なった周期を有したフレームパルスとを取得するステップと、取得したフレームパルス間に配置すべき複数のＴＳパケットを生成するステップと、生成した複数のＴＳパケットを他の放送装置に送信するステップと、生成した複数のＴＳパケットのうちのＴＯＴパケットを変形させるステップと、ＴＯＴパケットを変形した複数のＴＳパケットをＯＦＤＭ信号として放送するステップとを備える。生成するステップは、複数のＴＳパケットのうちのＴＯＴパケットの所定領域に、当該ＴＯＴパケットと基準タイミングパルスとの時間差の情報を含め、変形させるステップは、ＴＯＴパケットの所定領域から時間差の情報を除去するとともに、時間差の情報の代わりに誤り検出用データをＴＯＴパケットの所定領域に挿入し、送信するステップが送信した複数のＴＳパケットを受信した他の放送装置に、ＴＯＴパケットの所定領域から時間差の情報を除去させるとともに、時間差の情報の代わりに誤り検出用データをＴＯＴパケットの所定領域に挿入させる。
【００１０】
本発明のさらに別の態様もまた、伝送方法である。この方法は、所定の周期を有した基準タイミングパルスと、基準タイミングパルスの周期とは異なった周期を有したフレームパルスとが規定されており、フレームパルス間に配置された複数のＴＳパケットをＯＦＤＭ信号として他の放送装置から受信するステップと、受信した複数のＴＳパケットのうちのＴＯＴパケットを変形させるステップと、ＴＯＴパケットを変形した複数のＴＳパケットをＯＦＤＭ信号として放送するステップとを備える。受信するステップが受信した複数のＴＳパケットのうちのＴＯＴパケットの所定領域には、当該ＴＯＴパケットと基準タイミングパルスとの時間差の情報が含まれ、変形させるステップは、ＴＯＴパケットの所定領域から時間差の情報を除去するとともに、時間差の情報の代わりに誤り検出用データをＴＯＴパケットの所定領域に挿入し、放送するステップは、時間差の情報に応じて、複数のＴＳパケットをＯＦＤＭ信号として放送する。
【００１１】
本発明のさらに別の態様は、放送システムである。この放送システムは、所定の周期を有した基準タイミングパルスと、基準タイミングパルスの周期とは異なった周期を有したフレームパルスとを取得し、取得したフレームパルス間に配置すべき複数のＴＳパケットを生成してから、生成した複数のＴＳパケットを従放送装置に送信するとともに、生成した複数のＴＳパケットのうちのＴＯＴパケットを変形させてＯＦＤＭ信号として放送する主放送装置と、主放送装置から受信した複数のＴＳパケットのうちのＴＯＴパケットを変形させてＯＦＤＭ信号として放送する従放送装置とを備える。主放送装置は、（１）送信のため、複数のＴＳパケットのうちのＴＯＴパケットの所定領域に、当該ＴＯＴパケットと基準タイミングパルスとの時間差の情報を含め、（２）放送のため、ＴＯＴパケットの所定領域から時間差の情報を除去するとともに、時間差の情報の代わりに誤り検出用データをＴＯＴパケットの所定領域に挿入し、従放送装置は、（１）ＴＯＴパケットの所定領域から時間差の情報を除去するとともに、時間差の情報の代わりに誤り検出用データをＴＯＴパケットの所定領域に挿入し、（２）時間差の情報に応じて、複数のＴＳパケットをＯＦＤＭ信号として放送する。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、放送装置間のタイミング同期を効率よく実現できる。
【図面の簡単な説明】
【００１４】
【図１】本発明の実施例に係るエリアワンセグメント放送システムの構成を示す図である。
【図２】図２（ａ）−（ｄ）は、図１のエリアワンセグメント放送システムにおけるタイミングを示す図である。
【図３】図１の主放送装置の構成を示す図である。
【図４】図４（ａ）−（ｂ）は、図３の主放送装置において生成されるＴＯＴパケットのフォーマットを示す図である。
【図５】図１の従放送装置の構成を示す図である。
【図６】図１のエリアワンセグメント放送システムによる放送手順を示すシーケンス図である。
【発明を実施するための形態】
【００１５】
本発明を具体的に説明する前に、まず概要を述べる。本発明の実施例は、エリアワンセグメント放送におけるコンテンツ配信サービスを実現するために、コンテンツデータが含まれたＯＦＤＭ信号を送信するエリアワンセグメント放送システムに関する。エリアワンセグメント放送システムには、複数の放送装置が含まれており、それらから放送された信号は受信装置にて受信される。受信装置における受信品質を向上させるために、複数の放送装置から同一内容の信号が放送されるとともに、放送装置間のタイミングが同期している必要がある。放送装置間のタイミング同期を効率よく実現するために、本実施例に係る放送装置は、次の処理を実行する。
【００１６】
本実施例において２種類の放送装置が存在する。ひとつは、放送対象となるコンテンツデータをＡＶエンコーダから受けつけ、コンテンツデータが含まれたＯＦＤＭ信号を放送するとともに、別の種類の放送装置へコンテンツデータを送信する放送装置（以下、「主放送装置という）である。もうひとつは、前述のごとく、主放送装置からコンテンツデータを受信し、コンテンツデータが含まれたＯＦＤＭ信号を放送する放送装置（以下、「従放送装置」という）である。ここでは、放送装置のタイミング同期を確立するために、従放送装置のタイミングは、主放送装置のタイミングに同期される。なお、主放送装置と従放送装置は、ＧＰＳでの受信信号をもとに、ＧＰＳのタイミングに同期した１ｐｐｓパルスを生成している。
【００１７】
主放送装置は、コンテンツデータ等を格納するための複数のＭＰＥＧ２−ＴＳパケット（以下単にパケットと呼ぶこともある）を生成する。このうち、所定の間隔で配置されるのがＴＯＴ（Ｔｉｍｅ  Ｏｆｆｓｅｔ  Ｔａｂｌｅ）パケットである。具体的には、例えば５秒間隔でＴＯＴパケットが配置される。ＴＯＴパケットには、現在の日時を示す時刻情報が挿入される。したがって、５秒間隔で配置される場合には、挿入される時刻情報も５秒毎の値となる。また、ＴＯＴパケットには、挿入する時刻情報に対するエラーチェック用のデータであるＣＲＣ（Ｃｙｃｌｉｃ  Ｒｅｄｕｎｄａｎｃｙ  Ｃｈｅｃｋ）データも挿入される。本発明の実施例では、主放送装置は、まず、このＣＲＣデータを格納すべき所定領域にＣＲＣデータを格納せず、ＴＯＴパケットのタイミングと１ｐｐｓパルスとの時間差の情報を格納する。主放送装置は、そのようなＴＯＴパケットが含まれた複数のパケットを従放送装置へ送信する。この送信はＳＦＮ以外によってなされる。従放送装置は、複数のパケットを受信すると、ＴＯＴパケットを抽出し、所定領域に格納された時間差の情報をもとに、主放送装置とのタイミング同期を実行する。その後、主放送装置と従放送装置とは、複数のパケットをＯＦＤＭ信号に変換して放送する。その際、ＴＯＴパケットの所定領域から時間差の情報が除去され、正規のＣＲＣデータが格納される。また、この放送はＳＦＮによってなされる。
【００１８】
図１は、本発明の実施例に係るエリアワンセグメント放送システム１００の構成を示す。エリアワンセグメント放送システム１００は、主放送装置１０、第１ＧＰＳモジュール１２、ＨＵＢ１４、ＰＣ１６、第１無線装置１８、ＡＶエンコーダ２０、従放送装置３０、第２ＧＰＳモジュール３２、第２無線装置３４、受信装置４０を含む。また、主放送装置１０、従放送装置３０によってＳＦＮエリア５０が形成されている。ここでは説明を明瞭にするために、ひとつの従放送装置３０を示しているが、複数の従放送装置３０がエリアワンセグメント放送システム１００に含まれてもよい。
【００１９】
第１ＧＰＳモジュール１２は、ＧＰＳ衛星からの信号を受信することによって、時刻情報を取得するとともに、１ｐｐｓパルスを取得する。これらの取得には公知の技術が使用されればよいので、ここでは説明を省略する。１ｐｐｓパルスは、１秒の周期を有した基準タイミングパルスである。第１ＧＰＳモジュール１２は、時刻情報と１ｐｐｓパルスとを主放送装置１０へ出力する。第１ＧＰＳモジュール１２は、位置情報を取得してもよいが、ここでは説明を省略する。
【００２０】
ＡＶエンコーダ２０は、動画音声データを符号化するとともに、符号化した動画音声データに、データ放送やＳＩ（Ｓｅｒｖｉｃｅ  Ｉｎｆｏｒｍａｔｉｏｎ）／ＰＳＩ（Ｐｒｏｇｒａｍ  Ｓｐｅｃｉｆｉｃ  Ｉｎｆｏｒｍａｔｉｏｎ）を多重してＴＳを生成し、このＴＳをＨＵＢ１４に出力する。ＰＣ１６は、ＨＵＢ１４を介して、ＡＶエンコーダ２０から出力すべきＴＳを制御する。ＨＵＢ１４は、主放送装置１０、ＰＣ１６、ＡＶエンコーダ２０、第１無線装置１８に接続され、ＴＳ、データ、制御信号等を中継する。ＨＵＢ１４を介した通信は、例えば、ＩＰ（Ｉｎｔｅｒｎｅｔ  Ｐｒｏｔｏｃｏｌ）によってなされる。
【００２１】
主放送装置１０は、第１ＧＰＳモジュール１２から時刻情報と１ｐｐｓパルスとを取得する。また、主放送装置１０は、ＨＵＢ１４を介して、ＡＶエンコーダ２０からＴＳを取得する。主放送装置１０は、内部で生成されたフレームパルスを取得する。ここで、フレームパルスは、１ｐｐｓパルスの周期とは異なった周期を有する。フレームパルスの周期は、例えば、０．２３１３３６秒である。主放送装置１０は、フレームパルス間に配置すべき複数のパケットを生成する。ここで、複数のパケットの一部がＴＯＴパケットである。ＴＯＴパケットは、例えば５秒間隔に配置されている。そして、このＴＯＴパケットには、上述したとおり現在の時刻情報とともに、当該ＴＯＴパケットと当該１ｐｐｓパルスとの時間差の情報も含める。
【００２２】
主放送装置１０は、ＨＵＢ１４を介して第１無線装置１８へ、複数のパケットを送信する。第１無線装置１８は、複数のパケットを第２無線装置３４へ出力する。第１無線装置１８と第２無線装置３４との間の通信は、例えば、無線ＬＡＮ（Ｌｏｃａｌ  Ａｒｅａ  Ｎｅｔｗｏｒｋ）、無線（Ｍｅｔｒｏｐｏｌｉｔａｎ  Ａｒｅａ  Ｎｅｔｗｏｒｋ）無線ＷＡＮ（Ｗｉｄｅ  Ａｒｅａ  Ｎｅｔｗｏｒｋ）にてなされる。なお、第１無線装置１８と第２無線装置３４は、図示しない基地局装置を介して通信してもよい。第２無線装置３４は、複数のパケットを従放送装置３０に出力するので、以上の処理は、生成した複数のパケットを従放送装置３０に送信することに相当する。
【００２３】
主放送装置１０は、従放送装置３０へ送信した複数のパケットのうちの一部のパケットを変形させる。具体的に説明すると、主放送装置１０は、ＴＯＴパケットの所定領域から時間差の情報を除去するとともに、時間差の情報の代わりにＣＲＣデータをＴＯＴパケットの所定領域に挿入する。主放送装置１０は、変形させた複数のパケットをＯＦＤＭ信号としてＳＦＮエリア５０へ放送する。なお、主放送装置１０は、従放送装置３０から放送される複数のパケットと送信タイミングを合わせるために、複数のパケットを遅延させてから放送する。
【００２４】
第２ＧＰＳモジュール３２は、第１ＧＰＳモジュール１２と同様の処理を実行するので、ここでは説明を省略する。従放送装置３０は、第２無線装置３４から時刻情報と１ｐｐｓパルスとを取得する。また、従放送装置３０は、第２無線装置３４から複数のパケットを取得する。従放送装置３０は、主放送装置１０から受信した複数のパケットのうちの一部のパケットを変形させる。具体的に説明すると、従放送装置３０は、ＴＯＴパケットから時間差の情報を除去するとともに、時間差の情報の代わりにＣＲＣデータをＴＯＴパケットに挿入する。従放送装置３０は、時間差の情報に応じて、変形させた複数のパケットをＳＦＮエリア５０へ放送する。なお、主放送装置１０、従放送装置３０のクロックは１ｐｐｓパルスを基準とし、フレームパルスは、１ｐｐｓパルスのうち後述するＴＯＴ検出デコード部によって選択される所定周期毎の１ｐｐｓパルスを基準とする。その結果、主放送装置１０から放送された複数のパケットと、従放送装置３０から放送された複数のパケットが、受信装置４０に受信される。
【００２５】
図２（ａ）−（ｄ）は、エリアワンセグメント放送システム１００におけるタイミングを示す。この変調モードは、ＭＯＤＥ３、ＱＰＳＫ（２／３）、ＧＩ＝１／８である。図２（ａ）は、１ｐｐｓパルスを示しており、１秒間隔でハイレベルになる。図２（ｂ）は、フレームパルスを示しており、０．２３１３３６秒間隔でハイレベルになる。図２（ｃ）は、フレームパルスの間に配置される複数のＴＳパケットを示す。図示のごとく、隣接したフレームパルスの間には、６４個のＴＳパケットが配置される。これらの関係から、１ｐｐｓパルスとフレームパルスの位相が重なる周期は２８９１７秒である。図２（ｄ）は、１ＭＨｚのクロックを示す。これは、１ｐｐｓパルスとフレームパルスの周期を整数であらわせる周期カウンタのクロックである。ＡＲＩＢ  ＳＴＤ−Ｂ３１の規格では１０ＭＨｚクロックの分解能で１ｐｐｓパルスの位相に対してフレームパルスの位相差をあらわしているが、本実施例では１ＭＨｚのクロックを使用することにより位相差を表現する。
【００２６】
図３は、主放送装置１０の構成を示す。主放送装置１０は、ＬＡＮインターフェイス部２００、ＣＰＵ２０２、ＴＯＴ検出部２０４、第１ＴＳ数カウント部２０６、第２取得部２０８、クロックカウント部２１０、第２生成部２１２、第１取得部２１４、リアルタイムクロック部２１６、クロック生成部２１８、ＴＯＴ検出デコード部２２０、第２ＴＳ数カウント部２２２、ＯＦＤＭフレームカウント部２２４、書き込みアドレス制御部２２６、読み出しアドレス制御部２２８、バッファメモリ２３０、変形部２３２、放送部２３４を含む。また、ＣＰＵ２０２は、送信部２４０、第１生成部２４２を含む。
【００２７】
第１取得部２１４は、第１ＧＰＳモジュール１２からの１ｐｐｓパルスを受けつけることによって、１ｐｐｓパルスを取得する。第２取得部２０８は、フレームパルスを取得する。例えば、第２取得部２０８は、１ｐｐｓパルスをもとにフレームパルスを生成する。フレームパルスの生成には公知の技術が使用されればよいので、ここでは説明を省略する。ＬＡＮインターフェイス部２００は、ＨＵＢ１４と接続されており、ＨＵＢ１４からＴＳをＩＰパケットとして受信する。ここで、ＴＳの伝送レートは、主放送装置１０の伝送レートに一致している。
【００２８】
リアルタイムクロック部２１６は、１ｐｐｓパルスをもとに、第１ＧＰＳモジュール１２から時刻情報に合わせた５秒間隔の割り込み信号を生成する。リアルタイムクロック部２１６は、割り込み信号をＣＰＵ２０２、ＴＯＴ検出デコード部２２０へ出力する。また、リアルタイムクロック部２１６は、１ｐｐｓパルスをＣＰＵ２０２、第２生成部２１２、クロックカウント部２１０へ出力する。
【００２９】
第１生成部２４２は、ＬＡＮインターフェイス部２００からＴＳを受けつけるとともに、リアルタイムクロック部２１６からの割り込み信号を受けつける。第１生成部２４２は、５秒間隔の割り込み信号により、複数のＴＳパケットの間に、ＴＯＴパケットを多重化する。ＴＯＴパケットはＡＶストリームよりも多重の優先順位が低いので約５秒間隔に設定される。また、ＴＯＴパケットの時刻は、受信装置４０が受信した時点での時刻という規格になっているのでＴＯＴパケットの多重時には先行した時刻が挿入される。したがって、ＴＯＴパケットと１ｐｐｓの位相は、通常ある程度離れている。このような多重化の結果、第１生成部２４２は、フレームパルス間に配置すべき複数のパケットを生成する。
【００３０】
ＴＯＴ検出部２０４は、第１生成部２４２からの複数のパケットからＴＯＴパケットを検出し、検出したタイミングを第１ＴＳ数カウント部２０６へ出力する。第１ＴＳ数カウント部２０６は、ＴＯＴ検出部２０４から、検出の通知を受けつけるとともに、第１生成部２４２から、複数のパケットを受けつける。第１ＴＳ数カウント部２０６は、これらをもとに、ＴＯＴパケットとフレームパルスとの間のパケット数を計測する。これは、ＴＯＴパケットとフレームパルスとの間の位相差のＴＳ数に相当する。
【００３１】
クロックカウント部２１０は、リアルタイムクロック部２１６から１ｐｐｓパルスを受けつけるとともに、第２取得部２０８からフレームパルスを受けつける。クロックカウント部２１０は、これらをもとに、フレームパルスと１ｐｐｓパルスとの間のクロック数を計測する。この計測には、１ＭＨｚのクロックが使用される。第２生成部２１２は、第１生成部２４２からの複数のパケット、第１ＴＳ数カウント部２０６からのパケット数、クロックカウント部２１０からのクロック数、第２取得部２０８からのフレームパルスを受けつける。第２生成部２１２は、複数のパケットのうちの一部のパケットであるＴＯＴパケットに、パケット数とクロック数との組合せを時間差の情報として含める。
【００３２】
図４（ａ）−（ｂ）は、主放送装置１０において生成されるＴＯＴパケットのフォーマットを示す。図４（ａ）は、通常のＴＯＴパケットのフォーマットを示す。ＴＯＴパケットは例えば１８８バイトで構成されており、先頭の４バイトにはＴＳヘッダが配置される。ペイロードには時刻情報が挿入され、３２ビットのＣＲＣデータ領域には時刻情報に対するエラーチェック用のＣＲＣデータが挿入される。
【００３３】
図４（ｂ）は、第２生成部２１２において生成されるＴＯＴパケットのフォーマットを示す。このＴＯＴパケットは、通常のＴＯＴパケットにおいてＣＲＣデータが挿入されるべき３２ビットの領域（所定領域）に、ＴＯＴパケットのタイミングと１ｐｐｓパルスとの時間差の情報が挿入されている。具体的には、３２ビットの領域のうち１１ビットの領域にパケット数情報が挿入される。１１ビットとしたのは、約５秒間隔で送信されるＴＯＴパケットに対し指定されるＴＳパケットの最大値が、５秒間で伝送されるＴＳ数１３８４（１３８３の場合もあり）であるので、この１３８４の値を表現できるビット数が１１ビットだからであるからである。また、３２ビットの領域のうち１８ビットの領域にクロック数情報が挿入される。１８ビットとしたのは、指定されたＴＳに対してフレームパルスからの時間差をクロック数で指定する場合、フレーム間隔の最大クロック数が２３１３３６クロックであり、この２３１３３６を表現できるビット数が１８ビットだからであるからである。
【００３４】
３２ビットの領域のうち２ビットの領域にはモード情報を挿入する、モード情報には、例えば、３２ビットの領域中にパケット数情報とクロック数情報とが含まれているか否かを示す情報等が含まれる。３２ビットの領域のうち残りの１ビットの領域には、当該フレームの初期値を挿入する。フレームの初期値とは、フレーム毎に反転するTMCCの差動復調の基準の１ビットの情報である。このような構成は、本実施例において１ＭＨｚのクロックを使用することによって可能になったものである。例えば、１０ＭＨｚのクロックを用いてクロック数を表現する場合、クロック数情報としては２２ビット必要になり、パケット数情報とクロック数情報との合計が３２ビットよりも大きくなってしまうので、そのようなクロック数情報は、ＣＲＣデータの代わりにＴＯＴパケットに含めることができない。
【００３５】
送信部２４０は、第２生成部２１２が生成した複数のパケットをＬＡＮインターフェイス部２００に出力する。その結果、複数のパケットは、ＨＵＢ１４、第１無線装置１８、第２無線装置３４を経由して、従放送装置３０へ送信される。バッファメモリ２３０は、送信部２４０から従放送装置３０への送信遅延に応じて、複数のパケットの放送タイミングを遅らせるために、第２生成部２１２からの複数のパケットを記憶する。この処理を具体的に説明すると、ＴＯＴ検出デコード部２２０がＴＯＴパケットを検出した後、ＴＯＴパケットに記載されている時刻情報に対応した、すなわちこの時刻情報を取得した直後の１ｐｐｓパルスを選択して出力し、書き込みアドレス制御部２２６は、バッファメモリ２３０のアドレスをセットしてその後のパケットを順番に記憶させる。
【００３６】
クロック生成部２１８は、１ｐｐｓパルスをもとに１ＭＨｚのクロックを生成する。ＯＦＤＭフレームカウント部２２４は、ＴＯＴ検出デコード部２２０において検出したＴＯＴパケットからフレームクロック数を読み出す。ＯＦＤＭフレームカウント部２２４は、選択された１ｐｐｓパルスの位相を基準にしてＴＯＴパケットに記載されたクロック数の位置にＯＦＤＭフレームパルスを生成する。第２ＴＳ数カウント部２２２は、選択された１ｐｐｓパルスとＯＦＤＭフレームパルスの位相を基準にしてパケット数を数えてフレーム周期の位相を合わせる。読み出しアドレス制御部２２８は、第２ＴＳ数カウント部２２２とＯＦＤＭフレームカウント部２２４でのカウント数に応じて、バッファメモリ２３０から複数のパケットを読み出す。
【００３７】
変形部２３２は、バッファメモリ２３０からの複数のパケットのうちの一部のパケットを変形させる。変形対象となる一部のパケットは、ＴＯＴパケットである。具体的に説明すると、変形部２３２は、ＴＯＴパケットの所定領域から時間差の情報を除去するとともに、時間差の情報の代わりにＣＲＣデータをＴＯＴパケットの所定領域に挿入する。これは、図４（ｂ）を図４（ａ）に変形することに相当する。放送部２３４は、変形部２３２がＴＯＴパケットを変形した複数のパケットをＯＦＤＭ信号として放送する。
【００３８】
なお、送信部２４０が送信した複数のパケットを受信した従放送装置３０も、ＴＯＴパケットの所定領域から時間差の情報を除去するとともに、時間差の情報の代わりにＣＲＣデータをＴＯＴパケットの所定領域に挿入する。従放送装置３０は、時間差の情報にしたがってって、ＴＯＴパケットが変形された複数のパケットをＯＦＤＭ信号として放送する。
【００３９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４０】
図５は、従放送装置３０の構成を示す。従放送装置３０は、ＬＡＮインターフェイス部３００、ＣＰＵ３０２、取得部３１４、リアルタイムクロック部３１６、クロック生成部３１８、ＴＯＴ検出デコード部３２０、ＴＳ数カウント部３２２、ＯＦＤＭフレームカウント部３２４、書き込みアドレス制御部３２６、読み出しアドレス制御部３２８、バッファメモリ３３０、変形部３３２、放送部３３４を含む。ＣＰＵ３０２は、受信部３４０を含む。
【００４１】
受信部３４０は、ＬＡＮインターフェイス部３００を介して、第２無線装置３４からの複数のパケットを受けつける。これは、主放送装置１０からの複数のパケットを受信することに相当する。前述のごとく、複数のパケットにはＴＯＴパケットが含まれているが、そのフォーマットは、図４（ｂ）と同様である。バッファメモリ３３０は、受信部３４０において受信した複数のパケットを記憶する。取得部３１４、リアルタイムクロック部３１６、クロック生成部３１８、ＴＯＴ検出デコード部３２０、ＴＳ数カウント部３２２、ＯＦＤＭフレームカウント部３２４、書き込みアドレス制御部３２６、読み出しアドレス制御部３２８は、図３の第１取得部２１４、リアルタイムクロック部２１６、クロック生成部２１８、ＴＯＴ検出デコード部２２０、第２ＴＳ数カウント部２２２、ＯＦＤＭフレームカウント部２２４、書き込みアドレス制御部２２６、読み出しアドレス制御部２２８と同様であるので、ここでは説明を省略する。
【００４２】
変形部３３２は、変形部２３２と同様に、受信部３４０が受信した複数のパケットのうち、ＴＯＴパケットの所定領域から時間差の情報を除去するとともに、時間差の情報の代わりにＣＲＣデータをＴＯＴパケットの所定領域に挿入する。その結果、複数のパケットのうちの一部のパケットが変形される。放送部２３４は、変形部２３２がＴＯＴパケットを変形した複数のパケットをＯＦＤＭ信号として放送する。ここで、複数のパケットの放送は、ＴＯＴパケットに含まれた時間差の情報に応じてなされる。そのため、従放送装置３０の放送タイミングは、主放送装置１０の放送タイミングに同期される。
【００４３】
以上の構成によるエリアワンセグメント放送システム１００の動作を説明する。図６は、エリアワンセグメント放送システム１００による放送手順を示すシーケンス図である。主放送装置１０は、ＴＯＴパケットの所定領域に時間差の情報を挿入する（Ｓ１０）。主放送装置１０は、複数のパケットをＯＦＤＭ信号として送信する（Ｓ１２）。複数のパケットは、主放送装置１０から従放送装置３０へ伝送される（Ｓ１４）。主放送装置１０、従放送装置３０は、ＴＯＴパケットの所定領域から時間差の情報を除外する（Ｓ１６、Ｓ１８）。主放送装置１０、従放送装置３０は、ＴＯＴパケットの所定領域にＣＲＣデータを挿入する（Ｓ２０、Ｓ２２）。主放送装置１０、従放送装置３０は、複数のパケットをＯＦＤＭ信号として放送する（Ｓ２４、Ｓ２６）。
【００４４】
本発明の実施例によれば、ＴＯＴパケットにおけるＣＲＣデータの代わりに、時間差の情報を含めるので、同期に関する指示を効率よく伝送できる。また、同期に関する指示が効率よく伝送されるので、放送装置間のタイミング同期を効率よく実現できる。時間差の情報を従放送装置に送信するので、従放送装置にタイミングを同期させることができる。また、時間差の情報として、パケット数とクロック数とを送信するので、時間差の情報量を低減できる。また、時間差の情報をＴＯＴパケットから除去して、代わりにＣＲＣデータを挿入するので、放送の受信特性を向上できる。また、時間差の情報を主放送装置から受信するので、主放送装置とのタイミング同期を効率よく実行できる。
【００４５】
また、タイミング同期が効率よく実現できるので、ローコストでネットワーク回線にも負担のないＳＦＮを構築できる。また、ＳＦＮを構築するエリア放送を行う場合、同期化の基準となる時刻により選択された１ｐｐｓパルスとフレームパルスの関係を効率的に表現できるクロックによる時間差の情報をＴＯＴパケットに入れ込むので、無効化階層ＴＳを伝送するＴＳ再多重フォーマットである必要がなくパケットの伝送効率を向上できる。また、エリアワンセグメント放送でＧＰＳを利用してＳＦＮを構築して放送を行う場合に、ネットワーク回線で分配されるＴＳを放送装置で送信する伝送ＴＳと一致したＴＳのＲＳ部がない１８８バイトの形式（放送ＴＳではない形式）で効率よく配信できる。また、ＳＦＮ同期のための情報はＴＯＴパケットのＣＲＣ部分を置き換えて伝送するので、無駄の少ないＴＳを配信できる。
【００４６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４７】
本発明の実施例において、エリアワンセグメント放送システム１００は、ワンセグメント放送を実行している。しかしながらこれに限らず例えば、これらは、複数のセグメント放送を実行してもよい。複数のセグメント放送の一例は、フルセグメント放送、３セグメント放送である。本変形例によれば、さまざまな放送に本発明を適用できる。
【符号の説明】
【００４８】
１０  主放送装置、  ３０  従放送装置、  １００  エリアワンセグメント放送システム、  ２００  ＬＡＮインターフェイス部、  ２０２  ＣＰＵ、  ２０４  ＴＯＴ検出部、  ２０６  第１ＴＳ数カウント部、  ２０８  第２取得部、  ２１０  クロックカウント部、  ２１２  第２生成部、  ２１４  第１取得部、  ２１６  リアルタイムクロック部、  ２１８  クロック生成部、  ２２０  ＴＯＴ検出デコード部、  ２２２  第２ＴＳ数カウント部、  ２２４  ＯＦＤＭフレームカウント部、  ２２６  書き込みアドレス制御部、  ２２８  読み出しアドレス制御部、  ２３０  バッファメモリ、  ２３２  変形部、  ２３４  放送部、  ２４０  送信部、  ２４２  第１生成部、  ３００  ＬＡＮインターフェイス部、  ３０２  ＣＰＵ、  ３１４  取得部、  ３１６  リアルタイムクロック部、  ３１８  クロック生成部、  ３２０  ＴＯＴ検出デコード部、  ３２２  ＴＳ数カウント部、  ３２４  ＯＦＤＭフレームカウント部、  ３２６  書き込みアドレス制御部、  ３２８  読み出しアドレス制御部、  ３３０  バッファメモリ、  ３３２  変形部、  ３３４  放送部、  ３４０  受信部。
【図１】
2014195210.tif 000003
【図２】
2014195210.tif 000004
【図３】
2014195210.tif 000005
【図４】
2014195210.tif 000006
【図５】
2014195210.tif 000007
【図６】
2014195210.tif 000008